(57)【要約】【課題】スキャナで読取った画像を印刷する場合、細線が薄くなることを防止する。【解決手段】媒体に印刷された地紋情報を含む画像情報を読取る読取部と、該読取部で読取った画像情報に基づいて画像を形成する画像形成部とを有する複合装置において、前記読取部で読取った前記地紋情報に細線情報が含まれているか否かを検出する細線情報検出部と、前記細線情報検出部の検出結果に基づいて前記画像形成部での画像の形成方法を制御する制御部とを有し、前記制御部は、前記細線情報検出部によって前記地紋情報に細線情報が含まれていることが検出された場合、前記画像形成部が形成する画像の濃度を濃くする。【選択図】        図１
2012015709.tif 000002
【特許請求の範囲】
【請求項１】
媒体に印刷された地紋情報を含む画像情報を読取る読取部と、該読取部で読取った画像情報に基づいて画像を形成する画像形成部とを有する複合装置において、
前記読取部で読取った前記地紋情報に細線情報が含まれているか否かを検出する細線情報検出部と、
前記細線情報検出部の検出結果に基づいて前記画像形成部での画像の形成方法を制御する制御部とを有し、
前記制御部は、前記細線情報検出部によって前記地紋情報に細線情報が含まれていることが検出された場合、前記画像形成部が形成する画像の濃度を濃くすることを特徴とする複合装置。
【請求項２】
請求項１の複合装置において、
前記制御部は、前記細線情報検出部によって前記地紋情報に細線情報が含まれていることが検出された場合、前記細線情報を含む地紋情報を前記画像に重ね合わせた画像を形成することを特徴とする複合装置。
【請求項３】
請求項１または請求項２の複合装置において、
前記制御部は、前記画像形成部の印刷ヘッドの露光時間を増加させて前記画像の濃度を濃くすることを特徴とする複合装置。
【請求項４】
請求項３の複合装置において、
前記印刷ヘッドの露光時間を補正する補正値の入力を受け付ける入力部を有し、
前記制御部は、前記補正値に基づいて前記印刷ヘッドの露光時間を補正することを特徴とする複合装置。
【請求項５】
請求項１から請求項４のいずれか１項の複合装置において、
前記細線情報は、前記画像に細線が含まれていることを表す情報であることを特徴とする複合装置。
【請求項６】
請求項１から請求項５のいずれか１項の複合装置において、
印刷を指示する印刷データとともに該印刷データに細線が含まれていることを表す細線情報を上位装置から受信する通信部と、
前記通信部が受信した細線情報を検出する細線情報解析部とを有し、
前記制御部は、前記細線情報解析部によって前記細線情報が検出された場合、前記印刷データから生成した画像と前記細線情報を含ませた地紋情報とを重ね合わせた画像を形成することを特徴とする複合装置。
【発明の詳細な説明】
【技術分野】
【０００１】
本発明は、スキャナで読取った原稿の画像を印刷する複合装置に関する。
【背景技術】
【０００２】
従来の複合装置は、スキャナで原稿を読取る際、原稿を複数の領域に分け、それぞれの領域に対応したラインセンサを主走査方向に複数個並べたスキャナで原稿の画像を読取ることにより、読取り解像度を向上させるようにしている（例えば、特許文献１参照）。
【先行技術文献】
【特許文献】
【０００３】
【特許文献１】特公平１−５３５３８号公報（２頁、図２、図３）
【発明の概要】
【発明が解決しようとする課題】
【０００４】
しかしながら、上述した従来の技術においては、ラインセンサを主走査方向に複数個並べて読取り解像度を上げるようにしても原稿を正確に再現することは不可能なため、スキャナで読取った原稿の画像を印刷し、その印刷した画像をさらにスキャナで読取り、印刷を行うと画像中の細線が薄くなってしまう問題がある。
【０００５】
本発明は、このような問題を解決することを課題とし、スキャナで読取った画像を印刷する場合であっても細線が薄くなることを防止することを目的とする。
【課題を解決するための手段】
【０００６】
そのため、本発明は、媒体に印刷された地紋情報を含む画像情報を読取る読取部と、該読取部で読取った画像情報に基づいて画像を形成する画像形成部とを有する複合装置において、前記読取部で読取った前記地紋情報に細線情報が含まれているか否かを検出する細線情報検出部と、前記細線情報検出部の検出結果に基づいて前記画像形成部での画像の形成方法を制御する制御部とを有し、前記制御部は、前記細線情報検出部によって前記地紋情報に細線情報が含まれていることが検出された場合、前記画像形成部が形成する画像の濃度を濃くすることを特徴とする。
【発明の効果】
【０００７】
このようにした本発明は、スキャナで読取った画像を印刷する場合であっても細線が薄くなることを防止することができるという効果が得られる。
【図面の簡単な説明】
【０００８】
【図１】第１の実施例における画像処理装置の構成を示すブロック図
【図２】第１の実施例における複合装置の構成を示す概略側面図
【図３】第１の実施例におけるブラック用画像形成部の構成を示す拡大図
【図４】第１の実施例における細線情報の設定画面の説明図
【図５】第１の実施例における光量補正と地紋の説明図
【図６】第１の実施例における細線情報地紋の説明図
【図７】第１の実施例における地紋ドットの説明図
【図８】第１の実施例における印刷処理を示すフローチャート
【図９】第１の実施例におけるコピー印刷処理を示すフローチャート
【図１０】第２の実施例における画像処理装置の構成を示すブロック図
【図１１】第２の実施例における細線濃度補正の設定画面の説明図
【図１２】第２の実施例における光量補正と地紋の説明図
【図１３】第２の実施例における印刷処理を示すフローチャート
【図１４】第２の実施例におけるコピー印刷処理を示すフローチャート
【発明を実施するための形態】
【０００９】
以下、図面を参照して本発明による複合装置の実施例を説明する。
【実施例１】
【００１０】
図２は第１の実施例における複合装置の構成を示す概略側面図である。
【００１１】
図２において、複合装置の本体である画像形成装置１０１は、画像読取ユニット１０２と画像形成ユニット１０５を有している。
【００１２】
読取部としての画像読取ユニット１０２は、原稿を載置するコンタクトガラス１０３の下部にイメージセンサとしてのＣＣＤ（Ｃｈａｒｇｅ  Ｃｏｕｐｌｅｄ  Ｄｅｖｉｃｅ）１０４を備えて構成され、印刷された原稿の画像を読取る。ＣＣＤ１０４は、光源から原稿へ照明走査した光の反射光を結像して光電変換することにより原稿の画像を読取り、読取った画像を画像情報として画像形成ユニット１０５に出力する。ここで、画像は、図形や写真等のイメージデータに限らず、文字や記号等のテキストデータ等も含むものである。
【００１３】
画像形成ユニット１０５は、画像処理装置１１４を有し、画像読取ユニット１０２から入力された画像を画像処理装置１１４で処理し、印刷ヘッド部１１６やイメージドラム１２０等で構成された画像形成部により、以下の手順で印刷を行う。なお、画像処理装置１１４の詳細については後述する。
【００１４】
トレイ１０６内に収容された用紙１０７は、トレイ１０６のローラによって画像形成ユニット１０５内へ１枚ずつ給紙され、印刷プロセスを通過する。
【００１５】
電子写真プロセスによりイメージドラム１２０、１２１、１２２、１２３上に各色のトナー画像の形成を行った後に、印刷ヘッド部としてのＬＥＤ（Ｌｉｇｈｔ  Ｅｍｉｔｔｉｎｇ  Ｄｉｏｄｅ）ヘッド１１６、１１７、１１８、１１９はイメージドラム１２０、１２１、１２２、１２３上に光線によって各色の静電潜像を形成させる。さらに、転写部１２４、１２５、１２６、１２７が感光ドラム上に形成されたトナー画像を、トレイから給紙された用紙に転写を行うことにより、用紙上にトナー画像を形成させる。イメージドラム１２０、１２１、１２２、１２３はそれぞれ、ブラック色、イエロー色、マゼンタ色、シアン色のトナー画像を形成する。
【００１６】
ここで、画像形成部の構成を図３の第１の実施例におけるブラック用画像形成部の構成を示す拡大図に基づき、図２を参照しながら説明する。なお、図２での各画像形成部（１ｋ（ブラック）、１ｙ（イエロー）、１ｍ（マゼンタ）、１ｃ（シアン））は同様な構成を有しているため、ブラック用画像形成部を代表として説明する。
【００１７】
図３において、現像部２ｋは、現像剤としてのトナー３ｋ、トナー３ｋを貯蔵するトナーカートリッジ１４ｋ、現像剤担持体としての現像ローラ４１ｋ、層形成部材としての層形成ブレード７２ｋ、トナー供給部材としてのトナー供給ローラ７１ｋにより構成されている。
【００１８】
トナーカートリッジ１４ｋに貯蓄されたトナー３ｋがトナー供給ローラ７１ｋ表面に付着する。次に、トナー供給ローラ７１ｋの横に配置された現像ローラ４１ｋにトナーが供給され、現像ローラ４１ｋ表面のトナーは現像ローラ４１ｋ上部に備えられた層形成ブレード７２ｋによって均一な層とされる。
【００１９】
また、イメージドラムと対向する位置に転写ローラ（１２４、１２５、１２６、１２７）が設けられている。
【００２０】
帯電ローラ（２１ｋ、２１ｙ、２１ｍ、２１ｃ）には電圧−１０００Ｖが印加されており、帯電ローラ（２１ｋ、２１ｙ、２１ｍ、２１ｃ）に接しているイメージドラム（１２０、１２１、１２２、１２３）の表面は−６００Ｖに帯電する。帯電したイメージドラム（１２０、１２１、１２２、１２３）は、ＬＥＤヘッド（印刷ヘッド部）（１１６、１１７、１１８、１１９）によって露光され、静電潜像を形成する。
【００２１】
ここで、トナー３ｋにはポリエステル樹脂、着色剤、帯電制御剤及び離型剤で構成され、トナーの流動性を確保するための外添剤（疎水性シリカ）が添加されている。本実施例のトナーは、粉砕法により得られ、粉砕形状の平均粒径８μｍの現像剤を利用する。
【００２２】
画像形成部１ｋには、静電潜像担持体としてのイメージドラム１２０、帯電部としての帯電ローラ２１ｋ、露光部としてのＬＥＤヘッド１１６が設けてある。また、感光ドラム表面に残留するトナーをクリーニングするためのクリーニング部としてイメージドラム用クリーニングプレード６３ｋが配置されており、掻き取ったトナーを収納するためにイメージドラム用廃トナーボックス６５ｋが設けられている。
【００２３】
画像形成装置本体側には、現像ローラ４１ｋに電圧を印加するための電源３２ｋ、層形成ブレード７２ｋに電圧を印加するための電源３３ｋ、トナー供給ローラ７１ｋに電圧を印加するための電源３４ｋ、転写ロ−ラ１２４に電圧を印加するための電源３１ｋ、帯電ローラ２１ｋに電圧を印加するための電源３５ｋが配置されている。
【００２４】
図示しない現像電圧制御部は現像ローラ（４１ｋ、４１ｙ、４１ｍ、４１ｃ）に初期電圧Ｖｄ０＝−２００Ｖを印加し、供給電圧制御部は供給ローラ（７１ｋ、７１ｙ、７１ｍ、７１ｃ）に初期電圧Ｖｓ０＝−３００Ｖを印加し、層形成電圧制御部は層形成ブレード（７２ｋ、７２ｙ、７２ｍ、７２ｃ）に初期電圧Ｖｂ０＝−３００Ｖを印加する。帯電電圧制御部は帯電ローラ（２１ｋ、２１ｙ、２１ｍ、２１ｃ）に初期電圧Ｖｃ０＝−１０００Ｖを印加する。このとき、帯電ローラ（２１ｋ、２１ｙ、２１ｍ、２１ｃ）に接しているイメージドラム（１２０、１２１、１２２、１２３）の表面電位は−６００Ｖに帯電する。また、転写電圧制御部は、転写ローラ（１２４、１２５、１２６、１２７）に初期電圧Ｖｔ０＝＋４０００Ｖを印加する。
【００２５】
図２の説明に戻り、定着部１１１は用紙上に転写されたトナー画像を熱により用紙に定着させる。印刷された用紙は、画像形成装置１０１外へ排出され、用紙スタッカ１１２に積載される。
【００２６】
外部Ｉ／Ｆ（インターフェース）であるＵＳＢ（Ｕｎｉｖｅｒｓａｌ  Ｓｅｒｉａｌ  Ｂｕｓ）Ｉ／Ｆ１１３は、上位装置としてのパーソナルコンピュータ（以下、「ＰＣ」という。）等との間で印刷を指示する印刷データ等の送受信を行う。
【００２７】
オペレータパネル１１５は、ＬＣＤ（Ｌｉｑｕｉｄ  Ｃｒｙｓｔａｌ  Ｄｉｓｐｌａｙ）等の表示手段やスイッチ等の入力手段で構成され、画面上に各種操作ボタンや画像の状態表示、各機能の動作状況等の表示を行う。
【００２８】
図４は、ＵＳＢＩ／Ｆ１１３を介して画像形成装置１０１と接続されたＰＣにインストールされたプリンタドライバの印刷画像情報設定画面である。図４（ａ）は、後に説明する細線情報を無しに設定した場合の設定画面を表し、図４（ｂ）は、細線情報を有りに設定した場合の設定画面を表している。
【００２９】
ここで、細線情報とは、ＰＣのプリンタドライバにより印刷を指示する印刷データの印刷画像に細線が含まれているか否かを示す情報であり、操作者の操作により、図４（ａ）に示す設定画面で印刷画像に細線が含まれていないことを細線無しとして設定し、また図４（ｂ）に示す設定画面で印刷画像に細線が含まれていることを細線有りとして設定する。
【００３０】
また、細線とは、所定のドット数以下の太さを有する線であり、本実施例では、例えば１２００ｄｏｔ／ｉｎｃｈの解像度で２ｄｏｔ以下の太さの線とする。
【００３１】
次に、上述した画像処理装置１１４の構成を説明する。
【００３２】
図１は第１の実施例における画像処理装置の構成を示すブロック図である。
【００３３】
図１において、画像処理装置１１４は、ドライバ細線情報解析部３０１、細線情報地紋生成部３０２、印刷画像生成部３０３、画像／地紋重ね合せ部３０４、ＬＥＤ光量算出部３０５、ＬＥＤヘッド制御部３０６、および細線情報地紋検出部３０７から構成されている。
【００３４】
ドライバ細線情報解析部３０１は、ＰＣのプリンタドライバからＵＳＢＩ／Ｆ１１３を介して印刷データとしての画像情報および細線情報としての細線有無情報を受け取ると、その細線有無情報を判断し、細線有りの場合は細線情報地紋生成部３０２へ図５（ａ）に示すＬＥＤ光量補正値０％時の地紋ドット（縦４ドット、横４ドット）を使用した細線情報地紋「細線有」を生成するよう要求する。また、細線無しの場合は細線情報地紋生成部３０２へ図５（ａ）に示すＬＥＤ光量補正値０％時の地紋ドット（縦４ドット、横４ドット）を使用した細線情報地紋「細線無」を生成するよう要求する。
【００３５】
同時に、ドライバ細線情報解析部３０１は、印刷画像生成部３０３に画像情報を送り、またＬＥＤ光量算出部３０５にＬＥＤ光量補正値０％を通知する。
【００３６】
細線情報地紋生成部３０２は、ドライバ細線情報解析部３０１、細線情報地紋検出部３０７より通知されたＬＥＤ光量補正値に基づき、イエロー色の細線情報地紋「細線有」または細線情報地紋「細線無」の生成を行い、生成した細線情報地紋を画像／地紋重ね合せ部３０４へ送る。
【００３７】
ここで、細線情報地紋ドットの大きさをＬＥＤ光量補正値によって操作している理由は、ＬＥＤ光量補正によって、細線情報地紋が濃くなってしまう事を防止する為である。
【００３８】
なお、細線情報地紋生成部３０２が生成する細線情報地紋「細線有」は、図５に示す細線情報地紋とし、細線情報地紋「細線無」は細線情報地紋「細線有」の細線情報地紋の一部が欠けたパターンとなっており、例えば図５に示す細線情報地紋「細線有」の上部、下部、左部、または右部のいずれか半分の領域が欠けたパターンとなっている。
【００３９】
印刷画像生成部３０３は、ドライバ細線情報解析部３０１、細線情報地紋検出部３０７より画像情報を受け取ると、画像情報の伸縮等の画像の加工を行い、画像／地紋重ね合せ部３０４へ加工後の画像を送る。
【００４０】
画像/地紋重ね合せ部３０４は、印刷画像生成部３０３から送られた画像と細線情報地絃生成部３０２から送られた細線情報地紋「細線有」または細線情報地紋「細線無」とを重ね合わせて、最終的に用紙１０７へ印刷する画像データを生成し、ＬＥＤヘッド制御部３０６へ通知する。
【００４１】
ＬＥＤ光量算出部３０５は、ドライバ細線情報解析部３０１または細線情報地紋検出部３０７より通知されたＬＥＤ光量補正値を元に、１ラインあたりのＬＥＤヘッドの露光時間を算出し、ＬＥＤヘッド制御部３０６へ通知する。露光は、時間が長くなるほど印刷画像は濃く印刷されることになり、以下の計算式から露光時間の値が算出される。
【００４２】
露光時間（μ秒）＝デフォルト値である１７．４４４μ秒×（１．０００＋通知されたＬＥＤ光量補正値（％）÷１００）・・・計算式
ＬＥＤヘッド制御部３０６は、画像／地紋重ね合せ部３０４から送られた画像データとＬＥＤ光量算出部３０５から送られたＬＥＤヘッド露光時間を元に、ＬＥＤヘッドを光らせるタイミングや露光時間を操作し、ＬＥＤヘッド１１６、１１７、１１８、１１９の制御を行う。
【００４３】
細線情報地紋検出部３０７は、ＣＣＤ１０４より読み込まれた媒体としての原稿の画像に細線情報地紋（地紋情報）が存在し、細線情報地紋が「細線有」となっているか否かを判断する細線情報検出部である。
【００４４】
読取った画像に細線情報地紋が存在し、細線情報地紋が「細線有」と判断した場合、細線情報地紋検出部３０７は、ＬＥＤ光量算出部３０５にＬＥＤ光量補正０％を通知し、細線情報地紋生成部３０２へ図５（ａ）に示すＬＥＤ光量補正値０％時の地紋ドット（縦４ドット、横４ドット）を使用した細線情報地紋「細線有」を生成するよう要求する。
【００４５】
一方、画像に細線情報地紋が存在しない、もしくは細線情報地紋が「細線無」となっていると判断した場合、細線情報地紋検出部３０７は、ＬＥＤ光量算出部３０５にＬＥＤ光量補正値０％を通知し、細線情報地紋生成部３０２へ図５（ａ）に示すＬＥＤ光量補正値０％時の地紋ドット（縦４ドット、横４ドット）を使用した細線情報地紋「細線無」を生成するよう要求する。
【００４６】
また、細線情報地紋検出部３０７は、画像データから細線情報地紋を分離させた後、その画像データを印刷画像生成部３０３へ入力する。
【００４７】
ここで、原稿に印刷または原稿から読取る地紋情報としての細線情報地紋の例について図６の第１の実施例における細線情報地紋の説明図および図７の第１の実施例における地紋ドットの説明図に基づいて説明する。
【００４８】
図６（ａ）は読取る原稿全体を示し、原稿の図中上下左右にそれぞれ４．２ｍｍの余白部が確保されて画像データを印刷する印刷領域が設けられている。細線情報地紋は、例えば原稿の左上、右上、左下、右下の余白部の４個所に印刷されるものとする。図６（ｂ）はその原稿の余白部に印刷された細線情報地紋を示している。この細線情報地紋は、原稿の上端または下端から２．０ｍｍ、右端または左端から２．０ｍｍの位置に印刷するものとする。図６（ｃ）は細線情報地紋の拡大図であり、例えばＬＥＤ光陵補正３０％の場合、図中横方向が３ドット、縦方向が４ドットで構成され、その細線情報地紋は、図７に示すように最小ドットは１２００ｄｏｔ／ｉｎｃｈの大きさで構成されている。
【００４９】
このように構成された画像処理装置１１４は、図示しないメモリ等の記憶部に記憶された制御プログラム（ソフトウェア）に基づいて演算手段および制御手段としての制御部がドライバ細線情報解析部３０１、細線情報地紋生成部３０２、印刷画像生成部３０３、画像／地紋重ね合せ部３０４、ＬＥＤ光量算出部３０５、ＬＥＤヘッド制御部３０６、および細線情報地紋検出部３０７を制御して画像の形成方法を含む装置全体の動作を制御する。
【００５０】
上述した構成の作用について説明する。
【００５１】
まず、ＰＣから印刷指示を受信した画像形成装置の印刷処理を図８の第１の実施例における印刷処理を示すフローチャートの図中Ｓで表すステップにしたがって図１を参照しながら説明する。
【００５２】
Ｓ１ａ：ユーザがＰＣから印刷する際に、印刷画像に細線があると判断した場合、図４（ｂ）に示すプリンタドライバの印刷画像情報設定画面で「細線情報有り」を設定し、印刷要求を画像形成装置の画像処理装置１１４へ送信する。
【００５３】
ＵＳＢＩ／Ｆ１１３を介して印刷画像と細線情報を受信したドライバ細線情報解析部３０１は細線情報に細線有りが設定されているか否かを判断する。細線情報に細線有りが設定されていると判断すると処理をＳ２ａへ移行し、設定されていないと判断すると処理をＳ７ａへ移行する。
【００５４】
Ｓ２ａ：ドライバ細線情報解析部３０１はプリンタドライバから受信した細線情報に細線有りが設定されていると判断すると、ＬＥＤ光量補正値０％を細線情報地絞生成部３０２へ通知し、細線情報地紋生成部３０２は図５（ａ）に示すＬＥＤ光量補正値０％時の地紋ドット（縦４ドット、横４ドット）を使用して細線情報地紋「細線有」を生成する。
【００５５】
Ｓ３ａ：細線情報地紋生成部３０２は、生成した細線情報地紋「細線有」を画像／地紋重ね合せ部３０４に入力する。また、ドライバ細線情報解析部３０１は、印刷画像を印刷画像生成部３０３へ入力し、印刷画像生成部３０３は印刷画像データの生成を行う。
【００５６】
Ｓ４ａ：印刷画像生成部３０３は、生成した印刷画像データを画像／地紋重ね合せ部３０４に入力する。また、同様にドライバ細線情報解析部３０１は、ＬＥＤ光量補正値０％をＬＥＤ光量算出部３０５へ通知し、ＬＥＤ光量算出部３０５は１ラインあたり１７．４４４μ秒間露光するようＬＥＤヘッド制御部３０６へ指示を出す。
【００５７】
Ｓ５ａ：印刷画像データおよび細線情報地紋「細線有」が入力された画像／地紋重ね合せ部３０４は、印刷画像データと細線情報地紋「細線有」を重ね合わせてＬＥＤヘッド制御部３０６へ入力する。
【００５８】
Ｓ６ａ：ＬＥＤヘッド制御部３０６は、印刷画像データと細線情報地紋とを重ね合わせた画像データおよびＬＥＤ露光時間を元に、ＬＥＤヘッド（１１６、１１７、１１８、１１９）を露光させて印刷を行う。
【００５９】
Ｓ７ａ：一方、Ｓ１ａにおいてユーザがＰＣから印刷する際に、印刷画像に細線がないと判断した場合、図４（ａ）に示すプリンタドライバの印刷画像情報設定画面で「細線情報無し」を設定し、印刷要求を画像形成装置の画像処理装置１１４へ送信する。
【００６０】
ＵＳＢＩ／Ｆ１１３を介して印刷画像と細線情報を受信したドライバ細線情報解析部３０１が、プリンタドライバから受信した細線情報に細線無しが設定されていると判断すると、ＬＥＤ光量補正値０％を細線情報地絞生成部３０２へ通知し、細線情報地紋生成部３０２は図５（ａ）に示すＬＥＤ光量補正値０％時の地紋１ドッ（縦４ドット、横４ドット）を使用して細線情報地紋「細線無」を生成する。
【００６１】
以降の処理は、上述したＳ３ａ〜Ｓ６ａと同様に行われ、印刷が行われる。
【００６２】
次に、ＰＣからの印刷指示により印刷した用紙を読取ってコピー印刷する処理を図９の第１の実施例におけるコピー印刷処理を示すフローチャートの図中Ｓで表すステップにしたがって図１を参照しながら説明する。
【００６３】
Ｓ１ｂ：画像読取ユニット１０２内のＣＣＤ１０４によってＰＣからの印刷指示により印刷した用紙が読取られるものとし、読取られた画像データは、細線情報地紋検出部３０７に入力される。細線情報地紋検出部３０７は、読取った画像内に細線情報地紋が存在し、かつその細線情報地紋が「細線有」となっているか否かを判断する。
【００６４】
Ｓ２ｂ：細線情報地紋が存在し、細線情報地紋が「細線有」となっていると判断した場合、細線情報地紋検出部３０７は、ＬＥＤ光量補正有りを細線情報地紋生成部３０２へ通知し、細線情報地紋生成部３０２は、図５（ｂ）に示すＬＥＤ光量補正値３０％時の地紋ドット（縦４ドット、横３ドット）を使用して細線情報地紋「細線有」を生成する。
【００６５】
Ｓ３ｂ：細線情報地紋生成部３０２は、生成した細線情報地紋「細線有」を画像／地紋重ね合せ部３０４に入力する。同様に、細線情報地紋検出部３０７は、ＬＥＤ光量補正値３０％をＬＥＤ光量算出部３０５へ通知し、ＬＥＤ光量算出部３０５は上述した計算式に基づいて露光時間を算出し、１ラインあたり２２．６７７μ秒間露光するようＬＥＤヘッド制御部３０６へ指示を出す。
【００６６】
Ｓ４ｂ：細線情報地紋検出部３０７は、画像データから細線情報地紋を分離させて、その画像データを印刷画像生成部３０３に入力し、印刷画像生成部３０３は、印刷画像データの生成を行う。
【００６７】
Ｓ５ｂ：印刷画像生成部３０３は、生成した印刷画像データを画像／地紋重ね合せ部３０４に入力する。印刷画像データおよび細線情報地紋「細線有」が入力された画像／地紋重ね合せ部３０４は、印刷画像データと細線情報地紋「細線有」とを重ね合わせてＬＥＤヘッド制御部３０６へ入力する。
【００６８】
Ｓ６ｂ：ＬＥＤヘッド制御３０６は、印刷画像データと細線情報地紋「細線有」とを重ね合わせた画像データおよびＬＥＤ露光時間を元に、ＬＥＤヘッド（１１６、１１７、１１８、１１９）を露光させて印刷を行う。
【００６９】
Ｓ７ｂ：一方、Ｓ１ｂにおいて、細線情報地紋検出部３０７は、読取った画像内に細線情報地紋が存在しない、または細線情報地紋が存在する場合でもその細線情報地紋が「細線無」となっていると判断した場合、細線情報地紋検出部３０７は、ＬＥＤ光量補正無しを細線情報地紋生成部３０２へ通知し、細線情報地紋生成部３０２は、図５（ａ）に示すＬＥＤ光量補正値０％時の地紋ドット（縦４ドット、横４ドット）を使用して細線情報地紋「細線無」を生成する。
【００７０】
Ｓ８ｂ：細線情報地紋検出部３０７は、ＬＥＤ光量補正値０％をＬＥＤ光量算出部３０５へ通知し、ＬＥＤ光量算出部３０５は、１ラインあたり１７．４４４μ秒間露光するようＬＥＤヘッド制御部３０６へ指示を出す。
【００７１】
以降の処理は、上述したＳ４ｂ〜Ｓ６ｂと同様に行われ、印刷が行われる。
【００７２】
このようにＬＥＤ露光時間を増加することによって、イメージドラムに形成される静電潜像においてＬＥＤヘッドによって露光された部分のイメージドラム上の電位と現像ローラの電位との電位差が大きくなり、露光時間を増加する前より現像ローラ上のトナーがイメージドラム上に付着しやすくなる。
【００７３】
本実施例のように、ＬＥＤ露光時間を増加することで細線の濃度を濃くするのが好ましいが、これに限ったものではなく、細線の濃度を濃くするその他の手段であっても良い。
【００７４】
例えば、現像ローラ、トナー供給ローラ等に印加されている印加電圧を補正することで細線の濃度を濃くするようにしても良い。しかし、印加電圧を補正した場合において、単にイメージドラムにトナーを多く付着させるために、現像ローラに供給するトナー量を増やすのみとした場合では、細線を濃くすることはできるが、細線と背景との境界部分がぼやけてしまう等、画像品質の問題を考慮する必要がある。
【００７５】
以上説明したように、第１の実施例では、上位装置から印刷指示された画像に細線が含まれている場合、画像に細線が含まれていることを示す細線情報地紋を印刷指示された画像とともに用紙に印刷し、その画像および細線情報地紋が印刷された用紙をスキャナで読取って印刷するコピー印刷の際に、読取った細線情報地紋に基づいてＬＥＤヘッドの露光時間を増加させることにより、コピー印刷を行う毎に細線が薄くなってしまうことを防止することができるという効果が得られる。
【実施例２】
【００７６】
第２の実施例の構成は、画像処理装置の構成が第１の実施例の構成と異なるものであり、その画像処理装置の構成を図１０の第２の実施例における画像処理装置の構成を示すブロック図および図１１の第２の実施例における細線濃度補正の設定画面の説明図に基づいて説明する。
【００７７】
なお、複合装置の構成、画像形成部の構成、細線情報の設定画面の構成は、上述した第１の実施例と同様であり、同一の符号を付してその説明を省略する。
【００７８】
まず、細線濃度補正の設定画面を説明する。
【００７９】
図１１において、細線濃度補正設定画面１１５ａは、オペレータパネル１１５の表示手段に表示される。また、オペレータパネル１１５の入力手段（入力部）としてのスイッチ１１５ｂまたはスイッチ１１５ｃを押下することにより、細線濃度補正値を変更することが可能であり、またスイッチ１１５ｄを押下することにより、細線濃度補正値を選択することが可能となっている。
【００８０】
この細線濃度補正値は、細線情報地紋が存在した場合のＬＥＤ光量補正値３０％に対して、更にどの程度のオフセットをかけるかをユーザに設定させる為の値となっている。例えば、細線濃度補正値の設定可能な範囲は、−２０％から＋２０％までを範囲とし、１０％刻みで設定可能となっている。したがって、ＬＥＤ光量補正値を０％から５０％まで１０％刻みで設定することができるようになっている。
【００８１】
次に、画像処理装置の構成を説明する。
【００８２】
図１０において、画像処理装置１１４は、ドライバ細線情報解析部６０１、細線情報地紋生成部６０２、印刷画像生成部６０３、画像／地紋重ね合せ部６０４、ＬＥＤ光量算出部６０５、ＬＥＤヘッド制御部６０６、細線情報地紋検出部６０７、ＥＥＰＲＯＭ６０８、オペレータパネル制御部６０９、および光量補正算出部６１０から構成されている。
【００８３】
オペレータパネル制御部６０９は、オペレータパネル１１５より入力された細線濃度補正値を、電気的に記憶内容を消去、再書き込みができる不揮発性の記憶手段であるＥＥＰＲＯＭ６０８に入力し、そのＥＥＰＲＯＭ６０８に記憶させる。
【００８４】
ドライバ細線情報解析部６０１は、ＰＣのプリンタドライバからＵＳＢＩ／Ｆ１１３を介して印刷データとしての画像情報および細線情報としての細線有無情報を受け取ると、その細線有無情報を判断し、細線有りの場合は細線情報地紋生成部６０２へ図１２（ｃ）に示すＬＥＤ光量補正値０％時の地紋ドット（縦４ドット、横４ドット）を使用した細線情報地紋「細線有」を生成するよう要求する。また、細線無しの場合は細線情報地紋生成部６０２へ図１２（ｃ）に示すＬＥＤ光量補正値０％時の地紋ドット（縦４ドット、横４ドット）を使用した細線情報地紋「細線無」を生成するよう要求する。
【００８５】
同時に、ドライバ細線情報解析部６０１は、印刷画像生成部６０３に画像情報を送り、またＬＥＤ光量算出部６０５にＬＥＤ光量補正値０％を通知する。
【００８６】
細線情報地紋生成部６０２は、ドライバ細線情報解析部６０１、光量補正値算出部６１０より通知されたＬＥＤ光量補正値に基づき、細線情報地紋ドットの大きさを決定し、イエロー色の細線情報地紋「細線有」または細線情報地紋「細線無」の生成を行い、生成した細線情報地紋を画像／地紋重ね合せ部６０４へ送る。
【００８７】
細線情報地絞１ドットの大きさは、通知されたＬＥＤ光量補正値によって変化するものであり、ＬＥＤ光量補正値と細線情報地紋ドットの大きさの対応は、例えば図１２（ａ）がＬＥＤ光量補正値２０％、３０％の細線情報地紋ドットの大きさ（縦４ドット、横３ドット）、図１２（ｂ）がＬＥＤ光量補正値４０％、５０％の細線情報地紋ドットの大きさ（縦３ドット、横３ドット）、図１２（ｃ）がＬＥＤ光量補正値０％、１０％の細線情報地紋ドットの大きさ（縦４ドット、横４ドット）を示している。
【００８８】
ここで、細線情報地紋ドットの大きさをＬＥＤ光量補正値によって操作している理由は、ＬＥＤ光量補正によって、細線情報地紋が濃くなってしまう事を防止する為である。
【００８９】
印刷画像生成部６０３は、ドライバ細線情報解析部６０１、光量補正値算出部６１０より画像情報を受け取ると、画像情報の伸縮等の画像の加工を行い、画像／地紋重ね合せ部６０４へ加工後の画像を送る。
【００９０】
画像/地紋重ね合せ部６０４は、印刷画像生成部６０３から送られた画像と細線情報地絃生成部６０２から送られた細線情報地紋「細線有」または細線情報地紋「細線無」とを重ね合わせて、最終的に用紙１０７へ印刷する画像データを生成し、ＬＥＤヘッド制御部６０６へ通知する。
【００９１】
ＬＥＤ光量算出部６０５は、ドライバ細線情報解析部６０１または光量補正値算出部６１０より通知されたＬＥＤ光量補正値を元に、１ラインあたりのＬＥＤヘッドの露光時間を算出し、ＬＥＤヘッド制御部６０６へ通知する。露光は、時間が長くなるほど印刷画像は濃く印刷されることになり、以下の計算式から露光時間の値が算出される。
【００９２】
露光時間（μ秒）＝デフォルト値である１７．４４４μ秒×（１．０００＋通知されたＬＥＤ光量補正値（％）÷１００）・・・計算式
ＬＥＤヘッド制御部６０６は、画像／地紋重ね合せ部６０４から送られた画像データとＬＥＤ光量算出部６０５から送られたＬＥＤヘッド露光時間を元に、ＬＥＤヘッドを光らせるタイミングや露光時間を操作し、ＬＥＤヘッド１１６、１１７、１１８、１１９の制御を行う。
【００９３】
細線情報地紋検出部６０７は、ＣＣＤ１０４より読み込まれた原稿の画像に細線情報地紋が存在し、細線情報地紋が「細線有」となっているか否かを判断する細線情報検出部である。
【００９４】
読取った画像に細線情報地紋が存在し、細線情報地紋が「細線有」と判断した場合、細線情報地紋検出部６０７は、光量補正値算出部６１０にＬＥＤ光量補正３０％を通知する。
【００９５】
一方、読取った画像に細線情報地紋が存在しない、または細線情報地紋が「細線無」と判断した場合、細線情報地紋検出部６０７は、光量補正値算出部６１０にＬＥＤ光量補正０％を通知する。
【００９６】
また、細線情報地紋検出部６０７は、画像データから細線情報地紋を分離させた後、その画像データを印刷画像生成部６０３へ入力する。なお、細線情報地紋検出部６０７が原稿から読取る細線情報地紋は第１の実施例と同様である。
【００９７】
光量補正値算出部６１０は、ＥＥＰＲＯＭ６０８から細線濃度補正値を取得し、取得した補正値と細線情報地紋検出部６０７から通知されたＬＥＤ光量補正値とを合算し、合計値を最終的なＬＥＤ光量補正値としてＬＥＤ光量算出部６０５と細線情報地紋生成部６０２に通知する。但し、細線情報地紋検出部６０７から通知されたＬＥＤ光量補正値が０％の場合は、細線が無いと判断して合算を行わずに、細綿情報地紋検出部６０７から通知されたＬＥＤ光量補正値をＬＥＤ光量算出部６０５と細線情報地紋生成部６０２に通知する。
【００９８】
このように構成された画像処理装置１１４は、図示しないメモリ等の記憶部に記憶された制御プログラム（ソフトウェア）に基づいて演算手段および制御手段としての制御部がドライバ細線情報解析部６０１、細線情報地紋生成部６０２、印刷画像生成部６０３、画像／地紋重ね合せ部６０４、ＬＥＤ光量算出部６０５、ＬＥＤヘッド制御部６０６、細線情報地紋検出部６０７、ＥＥＰＲＯＭ６０８、オペレータパネル制御部６０９、および光量補正算出部６１０を制御して画像の形成方法を含む装置全体の動作を制御する。
【００９９】
上述した構成の作用について説明する。
【０１００】
まず、ＰＣから印刷指示を受信した画像形成装置の印刷処理を図１３の第２の実施例における印刷処理を示すフローチャートの図中Ｓで表すステップにしたがって図１０を参照しながら説明する。
【０１０１】
Ｓ１ｃ：ユーザがＰＣから印刷する際に、印刷画像に細線があると判断した場合、図４（ｂ）に示すプリンタドライバの印刷画像情報設定画面で「細線情報有り」を設定し、印刷要求を画像形成装置の画像処理装置１１４へ送信する。
【０１０２】
ＵＳＢＩ／Ｆ１１３を介して印刷画像と細線情報を受信したドライバ細線情報解析部６０１は細線情報に細線有りが設定されているか否かを判断する。細線情報に細線有りが設定されていると判断すると処理をＳ２ｃへ移行し、設定されていないと判断すると処理をＳ７ｃへ移行する。
【０１０３】
Ｓ２ｃ：ドライバ細線情報解析部６０１はプリンタドライバから受信した細線情報に細線有りが設定されていると判断すると、ＬＥＤ光量補正値０％を細線情報地絞生成部６０２へ通知し、細線情報地紋生成部６０２は図１２（ｃ）に示すＬＥＤ光量補正値０％時の地紋ドット（縦４ドット、横４ドット）を使用して細線情報地紋「細線有」を生成する。
【０１０４】
Ｓ３ｃ：細線情報地紋生成部６０２は、生成した細線情報地紋「細線有」を画像／地紋重ね合せ部６０４に入力する。また、ドライバ細線情報解析部６０１は、印刷画像を印刷画像生成部６０３へ入力し、印刷画像生成部６０３は印刷画像データの生成を行う。
【０１０５】
Ｓ４ｃ：印刷画像生成部６０３は、生成した印刷画像データを画像／地紋重ね合せ部６０４に入力する。また、同様にドライバ細線情報解析部６０１は、ＬＥＤ光量補正値０％をＬＥＤ光量算出部６０５へ通知し、ＬＥＤ光量算出部６０５は１ラインあたり１７．４４４μ秒間露光するようＬＥＤヘッド制御部６０６へ指示を出す。
【０１０６】
Ｓ５ｃ：印刷画像データおよび細線情報地紋「細線有」を入力された画像／地紋重ね合せ部６０４は、印刷画像データと細線情報地紋「細線有」を重ね合わせてＬＥＤヘッド制御部６０６へ入力する。
【０１０７】
Ｓ６ｃ：ＬＥＤヘッド制御部６０６は、印刷画像データと細線情報地紋とを重ね合わせた画像データとＬＥＤ露光時間を元に、ＬＥＤヘッド（１１６、１１７、１１８、１１９）を露光させて印刷を行う。
【０１０８】
Ｓ７ｃ：一方、Ｓ１ｃにおいてユーザがＰＣから印刷する際に、印刷画像に細線がないと判断した場合、図４（ａ）に示すプリンタドライバの印刷画像情報設定画面で「細線情報無し」を設定し、印刷要求を画像形成装置の画像処理装置１１４へ送信する。
【０１０９】
ＵＳＢＩ／Ｆ１１３を介して印刷画像と細線情報を受信したドライバ細線情報解析部６０１が、プリンタドライバから受信した細線情報に細線無しが設定されていると判断すると、ＬＥＤ光量補正値０％を細線情報地絞生成部６０２へ通知し、細線情報地紋生成部６０２は図１２（ｃ）に示すＬＥＤ光量補正値０％時の地紋ドット（縦４ドット、横４ドット）を使用して細線情報地紋「細線無」を生成する。
【０１１０】
以降の処理は、上述したＳ３ｃ〜Ｓ６ｃと同様に行われ、印刷が行われる。
【０１１１】
次に、ＰＣからの印刷指示により印刷した用紙を読取ってコピー印刷する処理を図１４の第２の実施例におけるコピー印刷処理を示すフローチャートの図中Ｓで表すステップにしたがって図１０を参照しながら説明する。
【０１１２】
なお、図１１に示したようにユーザはオペレータパネル１１５から細線補正値を−２０％〜＋２０％に設定できるが、本実施例では、ユーザが細線補正値に＋２０％を設定した際の動作を説明する。
【０１１３】
Ｓ１ｄ：画像読取ユニット１０２内のＣＣＤ１０４によってＰＣからの印刷指示により印刷した用紙が読取られるものとし、読取られた画像データは、細線情報地紋検出部６０７に入力される。細線情報地紋検出部６０７は、読取った画像内に細線情報地紋が存在し、かつその細線情報地紋が「細線有」となっているか否かを判断する。
【０１１４】
Ｓ２ｄ：細線情報地紋が存在し、細線情報地紋が「細線有」となっていると判断した場合、細線情報地紋検出部３０７は、ＬＥＤ光量補正値３０％を光量補正値算出部６１０へ通知する。その後、光量補正値算出部６１０は、ＥＥＰＲＯＭ６０８からユーザにより設定された細線補正値＋２０％を取得し、ＬＥＤ光量補正デフオルト値３０％と合算し、ＬＥＤ光量補正値５０％として細線情報地紋生成部６０２へ通知する。
【０１１５】
Ｓ３ｄ：細線情報地紋生成部６０２は、通知されたＬＥＤ光量補正値を元に紬線情報地紋ドットの大きさを選択する。
【０１１６】
Ｓ４ｄ〜Ｓ６ｄ：ここでは、ＬＥＤ光量補正値は５０％と通知されたので、細線情報地紋生成部６０２は、図１２（ｂ）に示すＬＥＤ光量補正値５０％時の地紋ドット（縦３ドット、横３ドット）を使用して細線情報地紋「細線有」を生成する。
【０１１７】
なお、ＬＥＤ光量補正値が２０％または３０％と通知された場合、図１２（ａ）に示すＬＥＤ光量補正値２０％、３０％時の地紋ドット（縦４ドット、横３ドット）を使用し、ＬＥＤ光量補正値が４０％と通知された場合、図１２（ｂ）に示すＬＥＤ光量補正値４０％時の地紋ドット（縦３ドット、横３ドット）を使用し、ＬＥＤ光量補正値が１０％と通知された場合、図１２（ｃ）に示すＬＥＤ光量補正値１０％時の地紋ドット（縦４ドット、横４ドット）を使用して細線情報地紋「細線有」を生成するものとする。
【０１１８】
Ｓ７ｄ：細線情報地紋生成部６０２は、生成した細線情報地紋「細線有」を画像／地紋重ね合せ部６０４に入力する。同様に、光量補正値算出部６１０は、ＬＥＤ光量補正値５０％をＬＥＤ光量算出部６０５へ通知し、ＬＥＤ光量算出部６０５は上述した計算式に基づいて露光時間を算出し、１ラインあたり２６．１６６μ秒間露光するようＬＥＤヘッド制御部６０６へ指示を出す。
【０１１９】
Ｓ８ｄ：細線情報地紋検出部６０７は、細線情報地紋が存在し、細線情報地紋が「細線有」となっていると判断した場合、画像データから細線情報地紋を分離させて、その画像データを印刷画像生成部６０３に入力し、印刷画像生成部６０３は、印刷画像データの生成を行う。
【０１２０】
Ｓ９ｄ：印刷画像生成部６０３は、生成した印刷画像データを画像／地紋重ね合せ部６０４に入力する。印刷画像データおよび細線情報地紋「細線有」が入力された画像／地紋重ね合せ部６０４は、印刷画像データと細線情報地紋「細線有」とを重ね合わせてＬＥＤヘッド制御部６０６へ入力する。
【０１２１】
Ｓ１０ｄ：ＬＥＤヘッド制御６０６は、印刷画像データと細線情報地紋「細線有」とを重ね合わせた画像データとＬＥＤ露光時間を元に、ＬＥＤヘッド（１１６、１１７、１１８、１１９）を露光させて印刷を行う。
【０１２２】
Ｓ１１ｄ：一方、Ｓ１ｄにおいて、読取った画像内に細線情報地紋が存在しない、または細線情報地紋が存在する場合でもその細線情報地紋が「細線無」となっていると判断した場合、細線情報地紋検出部６０７は、ＬＥＤ光量補正値０％を光量補正値算出部６１０へ通知する。
【０１２３】
Ｓ１２ｄ：光量補正値算出部６１０は、ＬＥＤ光量補正値０％を細線情報地紋生成部６０２へ通知し、細線情報地紋生成部６０２は図１２（ｃ）に示すＬＥＤ光量補正値０％の地紋ドット（縦４ドット、横４ドット）を使用して細線情報地紋「細線無」を生成する。
【０１２４】
Ｓ１３ｄ：光量補正値算出部６１０は、ＬＥＤ光量補正値０％をＬＥＤ光量算出部６０５へ通知し、ＬＥＤ光量算出部６０５は、１ラインあたり１７．４４４μ秒間露光するようＬＥＤヘッド制御部３０６へ指示を出す。
【０１２５】
以降の処理は、上述したＳ８ｄ〜Ｓ１０ｄと同様に行われ、印刷が行われる。
【０１２６】
以上説明したように、第２の実施例では、第１の実施例の効果に加え、ユーザが前もって装置に対してＬＥＤ光量補正情報を入力することにより、細線情報地紋が印刷された用紙をコピー印刷する際に、装置の個体差、劣化等による細線の濃淡を調節することができるという効果が得られる。
【０１２７】
なお、第１の実施例および第２の実施例では、本発明を複合装置に適用するものとして説明したが、それに限られることなく、コピー機能を有する複写機に適用するようにしても良い。
【符号の説明】
【０１２８】
１０１  画像形成装置
１０２  画像読取ユニット
１０４  ＣＣＤ
１０５  画像形成ユニット
１１４  画像処理装置
３０１、６０１  ドライバ細線情報解析部
３０２、６０２  細線情報地紋生成部
３０３、６０３  印刷画像生成部
３０４、６０４  画像／地紋重ね合せ部
３０５、６０５  ＬＥＤ光量算出部
３０６、６０６  ＬＥＤヘッド制御部
３０７、６０７  細線情報地紋検出部
６０８  ＥＥＰＲＯＭ
６０９  オペレータパネル制御部
６１０  光量補正値算出部
【図１】
2012015709.tif 000003
【図２】
2012015709.tif 000004
【図３】
2012015709.tif 000005
【図４】
2012015709.tif 000006
【図５】
2012015709.tif 000007
【図６】
2012015709.tif 000008
【図７】
2012015709.tif 000009
【図８】
2012015709.tif 000010
【図９】
2012015709.tif 000011
【図１０】
2012015709.tif 000012
【図１１】
2012015709.tif 000013
【図１２】
2012015709.tif 000014
【図１３】
2012015709.tif 000015
【図１４】
2012015709.tif 000016